(57)【要約】【課題】回転する演出部材を備えた遊技機において、当該演出部材の回転を阻止する機構を、小型かつ簡易なものとする。【解決手段】回転可能に設けられた演出部材１０と、演出部材１０とともに回転する回転部材２０と、回転部材２０が所定位置に位置するときに当該回転部材２０に係合する係合部材３０と、係合部材３０の変位を阻止する規制部４０と、を備え、回転部材２０が回転し、当該回転部材２０が所定位置に位置する度に係合部材３０に一時的に係合することにより係合部材３０の少なくとも一部が規制部４０に向かって段階的に変位し、係合部材３０の変位が規制部４０によって阻止されることで、演出部材１０のそれ以上の回転が阻止されるように構成されている。【選択図】図８
2015043802.tif 000002
【特許請求の範囲】
【請求項１】
回転可能に設けられた演出部材と、
前記演出部材とともに回転する回転部材と、
前記回転部材が所定位置に位置するときに当該回転部材に係合する係合部材と、
前記係合部材の変位を阻止する規制部と、
を備え、
前記回転部材が回転し、当該回転部材が前記所定位置に位置する度に前記係合部材に一時的に係合することにより前記係合部材の少なくとも一部が前記規制部に向かって段階的に変位し、
前記係合部材の変位が前記規制部によって阻止されることで、前記演出部材のそれ以上の回転が阻止されるように構成されていることを特徴とする遊技機。
【請求項２】
前記係合部材は回転可能に設けられた部材であって、
前記回転部材または前記係合部材の一方には周方向に並ぶ一または複数の係合部が形成されるとともに、他方には周方向に並ぶ複数の被係合部が形成され、
前記回転部材が前記所定位置に位置する度に前記係合部の一つが前記被係合部の一つに係合することにより、前記係合部材の少なくとも一部が前記規制部に向かって段階的に変位するように構成されていることを特徴とする請求項１に記載の遊技機。
【請求項３】
前記係合部材における係合部または被係合部が形成された部分の径は、前記回転部材における被係合部または係合部が形成された部分の径よりも小さいことを特徴とする請求項２に記載の遊技機。
【請求項４】
前記演出部材が原位置から一回転する度に前記係合部が前記被係合部に係合することで、前記係合部材の少なくとも一部が前記規制部に向かって段階的に変位するように構成され、
前記係合部材には、前記演出部材の回転数に応じた数の前記係合部または前記被係合部が形成されていることを特徴とする請求項２または請求項３に記載の遊技機。
【請求項５】
前記係合部は、前記回転部材または前記係合部材の一方の環状の周縁から径方向外側に向かって突出するように形成されるとともに、前記被係合部は、前記回転部材または前記係合部材の他方の周縁から径方向内側に向かって凹むように形成され、
前記回転部材または前記係合部材の他方における前記被係合部間の周縁は、回転中心に向かって凹となる形状であることを特徴とする請求項２から請求項４のいずれか一項に記載の遊技機。
【請求項６】
前記回転部材または前記係合部材の他方における前記被係合部間の周縁の曲率は、前記回転部材または前記係合部材の一方の環状の周縁の曲率と同じか、もしくはそれよりも小さいことを特徴とする請求項２から請求項５のいずれか一項に記載の遊技機。
【請求項７】
前記演出部材が原位置から一回転を超える終端位置まで回転したときに、前記係合部材の変位が前記規制部によって阻止されることで、前記演出部材のそれ以上の回転が阻止されるように構成されていることを特徴とする請求項１から請求項６のいずれか一項に記載の遊技機。
【請求項８】
前記演出部材に接続される配線部材を備え、
前記配線部材の一端側は前記演出部材または前記回転部材に形成された軸状部に固定される一方、他端側はベース部材に固定されており、
前記配線部材における前記軸状部に固定された箇所と前記ベース部材に固定された箇所との間の部分は、前記軸状部の周囲にロール状で設けられていることを特徴とする請求項１から請求項７のいずれか一項に記載の遊技機。
【請求項９】
前記ベース部材には、前記軸状部の外側を囲む筒状部が設けられ、
前記配線部材における前記軸状部に固定された箇所と前記ベース部材に固定された箇所との間の部分は、前記軸状部の周囲かつ前記筒状部内にロール状で設けられていることを特徴とする請求項８に記載の遊技機。
【発明の詳細な説明】
【技術分野】
【０００１】
本発明は、回転する演出部材を備えた遊技機に関する。
【背景技術】
【０００２】
このような遊技機として下記特許文献１に記載のものが公知である。特許文献１に記載の遊技機は、形態変化部材（３０）が表示装置（９２）の前で回転するというものである。
【先行技術文献】
【特許文献】
【０００３】
【特許文献１】特開２０１３−７８６５３号公報
【発明の概要】
【発明が解決しようとする課題】
【０００４】
このような回転する演出部材を所定の回転量で停止させる場合、当該回転量に達した時点で、演出部材自体（演出部材とともに回転する部材（演出部材と同じ角速度で回転する部材）を含む）の回転を阻止する必要がある。しかし、回転しはじめてから停止するまでの回転量が一回転超となる演出部材とする場合、演出部材自体の回転を阻止するためには、図１９に示すように、回転を阻止する部材１０１が演出部材１００の回転を許容する位置（回転軌跡内に入り込まない位置）と回転を阻止する位置（回転軌跡内に入り込む位置）との間を変位可能なものとしなければならず、構造が複雑化する。
【０００５】
また、図２０に示すように、演出部材１００が回転することによって回転する部材であって、角速度が演出部材よりも小さい歯車１０２を設け（演出部材がＸ（Ｘ＞１）回転したときに歯車が一回転するような減速比に設定する）、当該歯車１０２が回転可能な範囲を規制部１０３、０１４によって所定の範囲（３６０度以下）に規制し、歯車１０２の回転が阻止されることで演出部材１００を停止させる構成とすることが考えられる。しかし、回転しはじめてから停止するまでの演出部材１００の回転量が大きくなればなるほど、当該歯車１０２の径を大きくする必要があり、演出部材の駆動機構が大型化してしまう。
【０００６】
本発明が解決しようとする課題は、回転する演出部材を備えた遊技機において、当該演出部材の回転を阻止する機構を、小型かつ簡易なものとすることにある。
【課題を解決するための手段】
【０００７】
上記課題を解決するためになされた請求項１の発明にかかる遊技機は、回転可能に設けられた演出部材と、前記演出部材とともに回転する回転部材と、前記回転部材が所定位置に位置するときに当該回転部材に係合する係合部材と、前記係合部材の変位を阻止する規制部と、を備え、前記回転部材が回転し、当該回転部材が前記所定位置に位置する度に前記係合部材に一時的に係合することにより前記係合部材の少なくとも一部が前記規制部に向かって段階的に変位し、前記係合部材の変位が前記規制部によって阻止されることで、前記演出部材のそれ以上の回転が阻止されるように構成されていることを特徴とする。
【０００８】
請求項２に記載の発明は、請求項１に記載の遊技機において、前記係合部材は回転可能に設けられた部材であって、前記回転部材または前記係合部材の一方には周方向に並ぶ一または複数の係合部が形成されるとともに、他方には周方向に並ぶ複数の被係合部が形成され、前記回転部材が前記所定位置に位置する度に前記係合部の一つが前記被係合部の一つに係合することにより、前記係合部材の少なくとも一部が前記規制部に向かって段階的に変位するように構成されていることを特徴とする。
【０００９】
請求項３に記載の発明は、請求項２に記載の遊技機において、前記係合部材における係合部または被係合部が形成された部分の径は、前記回転部材における被係合部または係合部が形成された部分の径よりも小さいことを特徴とする。
【００１０】
請求項４に記載の発明は、請求項２または請求項３に記載の遊技機において、前記演出部材が原位置から一回転する度に前記係合部が前記被係合部に係合することで、前記係合部材の少なくとも一部が前記規制部に向かって段階的に変位するように構成され、前記係合部材には、前記演出部材の回転数に応じた数の前記係合部または前記被係合部が形成されていることを特徴とする。
【００１１】
請求項５に記載の発明は、請求項２から請求項４のいずれか一項に記載の遊技機において、前記係合部は、前記回転部材または前記係合部材の一方の環状の周縁から径方向外側に向かって突出するように形成されるとともに、前記被係合部は、前記回転部材または前記係合部材の他方の周縁から径方向内側に向かって凹むように形成され、前記回転部材または前記係合部材の他方における前記被係合部間の周縁は、回転中心に向かって凹となる形状であることを特徴とする。
【００１２】
請求項６に記載の発明は、請求項２から請求項５のいずれか一項に記載の遊技機において、前記前記回転部材または前記係合部材の他方における前記被係合部間の周縁の曲率は、前記回転部材または前記係合部材の一方の環状の周縁の曲率と同じか、もしくはそれよりも小さいことを特徴とする。
【００１３】
請求項７に記載の発明は、請求項１から請求項６のいずれか一項に記載の遊技機において、前記演出部材が原位置から一回転を超える終端位置まで回転したときに、前記係合部材の変位が前記規制部によって阻止されることで、前記演出部材のそれ以上の回転が阻止されるように構成されていることを特徴とする。
【００１４】
請求項８に記載の発明は、請求項１から請求項７のいずれか一項に記載の遊技機において、前記演出部材に接続される配線部材を備え、前記配線部材の一端側は前記演出部材または前記回転部材に形成された軸状部に固定される一方、他端側はベース部材に固定されており、前記配線部材における前記軸状部に固定された箇所と前記ベース部材に固定された箇所との間の部分は、前記軸状部の周囲にロール状で設けられていることを特徴とする。
【００１５】
請求項９に記載の発明は、請求項７に記載の遊技機において、前記ベース部材には、前記軸状部の外側を囲む筒状部が設けられ、前記配線部材における前記軸状部に固定された箇所と前記ベース部材に固定された箇所との間の部分は、前記軸状部の周囲かつ前記筒状部内にロール状で設けられていることを特徴とする。
【発明の効果】
【００１６】
請求項１および請求項２に記載の発明のように、回転部材と係合部材が一時的に係合するようにして、当該係合部材の変位が阻止されることで演出部材の回転が阻止されるようにすれば、回転部材と係合部材が常に係合しているわけではないから、演出部材が原位置から終端位置に至るまでの間における係合部材の変位量が小さくなる。そのため、上述したような回転軌跡内と回転軌跡外との間を変位可能な演出部材の回転を阻止する部材を設けなくても、係合部材を小さくすることが可能となる。すなわち、演出部材の回転を阻止する機構を、小型かつ簡易なものとすることが可能となる。
【００１７】
請求項３に記載の発明のように、係合部材が回転する部材である場合、当該係合部材における係合部または被係合部が形成された部分の径は、回転部材における被係合部または係合部が形成された部分の径よりも小さくすることも可能である。
【００１８】
請求項４に記載の発明のように、係合部材には演出部材の回転数に応じた複数の係合部または被係合部を形成すればよい。
【００１９】
請求項５に記載の発明のように、回転部材または係合部材の一方が環状の周縁であり、回転部材または係合部材の他方における被係合部間の周縁が回転中心に向かって凹となる形状であれば、回転部材と係合部材の距離を小さくすることが可能となる。すなわち、演出部材の回転を阻止する機構をさらに小さくすることが可能となる。さらに、請求項６に記載の発明のように、回転部材または係合部材の他方における被係合部間の周縁の曲率が、回転部材または係合部材の一方の環状の周縁の曲率と同じか、もしくはそれよりも小さくすれば、回転部材または係合部材の他方における凹状の部分に、回転部材または係合部材の一方の一部が入り込むような配置とすることができ、回転部材と係合部材の距離をより小さくすることが可能となる。
【００２０】
請求項７に記載の発明のように、演出部材が一回転超回転するような構成であっても、係合部材を小さくすることが可能である。
【００２１】
請求項８に記載の発明によれば、演出部材の回転に伴う一端側（演出部材側）の変位は、配線部材のロール状の部分の緩みの大小によって吸収される。つまり、演出部材が回転しても、それに接続された配線部材はロール状の部分の緩みが変化するだけであるから、演出部材が回転したときにおける配線部材に対する負荷が大きくなってしまうのを抑制することが可能である。
【００２２】
請求項９に記載の発明によれば、配線部材のロール状の部分は、ベース部材に設けられた筒状部内に収容されているため、当該ロール状の部分の緩みは筒状部の内壁面に抑えられる。つまり、ロール状の部分が大きく緩み、その緩んだ部分が他の部材に引っ掛かってしまうこと等を防止することが可能である。
【図面の簡単な説明】
【００２３】
【図１】本実施形態にかかる遊技機の正面図であって、液晶表示装置を前方に向けた演出部材が演出位置に位置した状態を示したものである。
【図２】センターベースおよびそれに取り付けられた演出装置を示した図であって、演出部材が待機位置に位置した状態を示したものである。
【図３】センターベースおよびそれに取り付けられた演出装置を示した図であって、背面側の装飾部分を前方に向けた演出部材が演出位置に位置した状態を示したものである。
【図４】センターベースおよびそれに取り付けられた演出装置を示した図であって、液晶表示装置を前方に向けた演出部材が演出位置に位置した状態を示したものである。
【図５】センターベースおよびそれに取り付けられた演出装置を示した図であって、液晶表示装置を前方に向けた演出部材が図４に示した状態から回転した様子を示したものである。
【図６】ベース部材およびそれに支持された演出部材の外観図である。
【図７】ベース部材およびそれに支持された演出部材の分解図である。
【図８】演出部材が原位置に位置しているときにおける回転部材（係合部）と係合部材（被係合部）の状態を示した図である。
【図９】演出部材が原位置から９０度回転（１／４回転）したときにおける回転部材（係合部）と係合部材（被係合部）の状態を示した図である。
【図１０】演出部材が原位置から３６０度回転（一回転）したときにおける回転部材（係合部）と係合部材（被係合部）の状態を示した図である。
【図１１】演出部材が原位置から４５０度回転（５／４回転）したときにおける回転部材（係合部）と係合部材（被係合部）の状態を示した図である。
【図１２】演出部材が原位置から７２０度回転（二回転）したときにおける回転部材（係合部）と係合部材（被係合部）の状態を示した図である。
【図１３】演出部材が原位置から８１０度回転（９／４回転）したときにおける回転部材（係合部）と係合部材（被係合部）の状態を示した図である。
【図１４】演出部材が原位置から１０８０度回転（三回転）したときにおける回転部材（係合部）と係合部材（被係合部）の状態を示した図である。
【図１５】演出部材が原位置から１１７０度回転（１３／４回転）したときにおける回転部材（係合部）と係合部材（被係合部）の状態を示した図である。
【図１６】演出部材が原位置から１４４０度回転（四回転）し、終端位置に到達したときにおける回転部材（係合部）と係合部材（被係合部）の状態を示した図である。
【図１７】演出部材が原位置に位置するときにおける配線部材の状態を示した図である。
【図１８】演出部材が終端位置に位置するときにおける配線部材の状態を示した図である。
【図１９】回転軌跡内と回転軌跡外との間を変位可能な部材を設けることにより、演出部材の回転を阻止する構成を説明するための模式図である（演出部材を回転させる構造は省略）。
【図２０】角速度が演出部材よりも小さい歯車を用いて、演出部材の回転を阻止する構成を説明するための模式図である（演出部材を回転させる構造は省略）。
【発明を実施するための形態】
【００２４】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）を、上下方向とは図１における上下方向を、幅方向（左右方向）とは図１における左右方向をいうものとする。
【００２５】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００２６】
遊技領域９０２には、表示装置９１、第一始動入賞口９０４、第二始動入賞口９０５、大入賞口９０６、アウト口９０７などが設けられている。表示装置９１は、例えば液晶表示装置１１が用いられ、表示装置９１の表示画面（表示部）において特別図柄や普通図柄等が表示される。かかる表示装置９１の表示画面は、遊技盤９０に形成された開口９０１を通じて視認可能である。
【００２７】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２８】
このような遊技機１では、発射装置を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００２９】
本実施形態にかかる遊技機１は、所定の演出実行時に表示装置９１の表示画面の前方に進出し、遊技盤９０の開口９０１を通じて視認可能となる演出部材１０を備える。以下、図１〜図１８を参照して当該演出部材１０を駆動させる演出装置１ｍの構成について詳細に説明する。
【００３０】
演出装置１ｍは、演出部材１０、回転部材２０、係合部材３０、および規制部４０を備える。この演出装置１ｍは、遊技盤９０の後方に設けられたセンターベース９２の上側に設けられている（図２〜図５参照）。演出部材１０は、ベース部材５０に対し回転自在に支持されている。このベース部材５０は、図示されないベース部材駆動機構によって駆動される。具体的には、遊技盤９０の開口９０１の上側に覆われる遊技者に視認困難な位置（待機位置；図２に示す位置）から、遊技盤９０の開口９０１を通じて遊技者に視認可能となる位置（演出位置；図３〜図５に示す位置）に移動する。本実施形態では、ベース部材５０には装飾が施されている。つまり、ベース部材５０は、演出部材１０とともに演出効果を高める部材として機能する。ベース部材５０の前面側には、窪み５１１が形成されており、当該窪み５１１内に演出部材１０が設けられる。窪み５１１は、後述するように回転する演出部材１０に干渉しないような形状に形成されている。
【００３１】
本実施形態では、装飾が施されたベース部材５０の背面側（ベース部材５０においては、演出部材１０が位置する側の反対側を背面側とする）を前方に向けた状態とする演出を実行することも可能である。すなわち、ベース部材５０は幅方向に沿う回転軸を中心として回転自在であり、演出部材１０が設けられた側を前方に位置させた状態（図３参照）とされるか、または装飾が施された背面側を前方に位置させた状態（図４、図５参照）とされる。ベース部材５０は、上記窪みが形成された部材５１と、装飾が施された背面側の部材５２とで構成される。両部材が組み合わされることによって形成される空間（以下単にベース部材５０内部と称する）に詳細を後述する回転部材２０や係合部材３０が収容されている（図７参照）。
【００３２】
本実施形態における演出部材１０は、前面側に液晶表示装置１１が設けられた部材である。液晶表示装置１１には、演出内容に応じた画像が表示される。演出部材１０の背面における中央には、後方に向かって突出した筒状の回転軸部（図示せず）が設けられている。回転軸部は、ベース部材５０（窪み５１１）の中央に形成された貫通孔５１２に通されている。このようにして、演出部材１０はベース部材５０に対し、回転軸部の中心軸を回転中心として回転自在に支持されている（図５、図６参照）。当該回転軸部の先端側はベース部材５０内部に位置している。
【００３３】
図８〜図１６に示すように、演出部材１０の回転軸部におけるベース部材５０内部に位置した部分には、回転部材２０が固定されている。つまり、回転部材２０は、演出部材１０とともに回転する部材である（演出部材１０の角速度＝回転部材２０の角速度）。回転部材２０には、歯車部２１および係合部２２が形成されている。回転部材２０は、径方向の大きさが異なる円盤状の部分が二段になるように形成された部材であって、相対的に小径の部分の外周に歯車部２１が、相対的に大径の部分に係合部２２が形成されている。係合部２２は、相対的に大径である部分の環状の周縁２３（径方向外側に向かって凸となる周縁）から径方向外側に突出した突起である。本実施形態では、係合部２２の周囲が若干径方向内側に窪んだ形状となっている。本実施形態における回転部材２０には、一の係合部２２が形成されている。
【００３４】
ベース部材５０には、演出部材１０の駆動源であるモータ６０が固定されている。このモータ６０の動力は、複数の歯車から構成される歯車列６１を介して回転部材２０に伝達される。つまり、歯車列６１における最も出力側の歯車が回転部材２０の歯車部２１に噛み合っている。これにより、駆動源の動力は、歯車列６１および回転部材２０を介して演出部材１０に伝達される。
【００３５】
係合部材３０は、回転部材２０の隣に位置するように、ベース部材５０に対して回転自在に支持された略円盤状の部材である。係合部材３０には、複数の被係合部３１および被規制部３２が形成されている。本実施形態における被係合部３１は、係合部材３０の周方向に並ぶように形成された、径方向内側に向かって窪む凹部である。本実施形態では、係合部材３０に五つの被係合部３１が形成されている。当該被係合部３１の数は、演出部材１０の回転数（原位置からその回転が阻止されるまでの回転数）に応じた数に設定されている。本実施形態では、演出部材１０の回転数をＸ回転とした場合、被係合部３１の数はＸ−１に設定される。この係合部材３０における被係合部３１が形成された部分の径は、回転部材２０における係合部２２が形成された部分の径よりも小さい。被係合部３１の大きさは、上述した係合部２２が内側に入り込むことが可能な大きさである。係合部材３０における被係合部３１間の周縁３３は、回転中心に向かって凹となる形状である。すなわち被係合部３１間において、被係合部３１の縁が最も径方向外側に位置し、被係合部３１間における中央が最も径方向内側に位置するように凹んだ形状である。本実施形態では、当該部分の曲率は、回転部材２０の環状の周縁２３（径方向外側に向かって凸となる周縁）の曲率と同じである。
【００３６】
被規制部３２は、係合部材３０が回転し、所定位置まで達したとき、規制部４０に当接する部分である。規制部４０は、ベース部材５０内部に形成された突起である。本実施形態では、二つの規制部４０（第一規制部４１および第二規制部４２）が設けられている。第一規制部４１は、原位置で係合部材３０（回転部材２０および演出部材１０）を停止させるための突起であり、第二規制部４２は、終端位置で係合部材３０（回転部材２０および演出部材１０）を停止させるための突起である。被規制部３２は、係合部材３０の外縁から径方向外側に向かって突出した突起である。被規制部３２は、周方向に並ぶ複数の被係合部３１のうちの両端に位置する被係合部３１（第一被係合部３１１と第五被係合部３１５）の間に設けられる。係合部材３０が回転したときにおける被規制部３２の回転軌跡内に、上記第一規制部４１および第二規制部４２が位置する。
【００３７】
次に、演出部材１０に対する配線の引き回し構造について説明する。上述したように、本実施形態にかかる演出部材１０は、液晶表示装置１１を有する。図１７および図１８に示すように、この液晶表示装置１１と、図示されない外部の制御基板や電源とを電気的に接続するための配線部材７０が設けられている。本実施形態における配線部材７０は、帯状のフレキシブル配線板（ＦＰＣ）である。配線部材７０の一端側は演出部材１０に形成された軸状部１２に固定されている。軸状部１２は、固定部材の中央に形成された貫通孔に通され、ベース部材５０内部に位置する。つまり、配線部材７０の一端側は、演出部材１０および回転部材２０とともに回転する。一方、配線部材７０の他端側はベース部材５０に固定されている。具体的には、ベース部材５０には、後方に向かって突出した筒状部５３が形成されており、この筒状部５３の壁面に設けられた配線固定部５３１に配線部材７０の他端側が固定されている。なお、他端側とは軸状部１２に固定された箇所（一端側）よりも液晶表示装置１１の電源や制御手段側のことをいい、ベース部材５０に固定された箇所から電源や制御手段までの配線の長さは問わない。また、本実施形態では、筒状部５３が形成された部材は、ベース部材５０の本体部分と別部材で形成されている。つまり、ベース部材５０の本体部と筒状部５３が形成された部材とが一体化されることによってベース部材５０が構成されている。筒状部５３が形成された部材と、ベース部材５０の本体部分とは、両者の間に空間が形成されるようにして接続されており、当該空間に回転部材２０の円盤状の部分（歯車部２１および係合部２２）が位置する。
【００３８】
このように、配線部材７０は一端側が演出部材１０の軸状部１２に、他端側がベース部材５０（筒状部５３）に固定されている。当該軸状部１２に固定された箇所とベース部材５０に固定された箇所との間の部分は、軸状部１２の周囲かつ筒状部５３内にロール状で（軸状部１２の周りに巻回されるように）設けられている。したがって、回転部材２０（演出部材１０）が他方側に回転すると当該ロール状の部分７１が締まり（ロール状の部分７１の少なくとも一部が軸状部１２に近づき）（図１７参照）、回転部材２０（演出部材１０）が一方側に回転すると当該ロール状の部分７１が緩む（ロール状の部分７１の少なくとも一部が筒状部５３の内壁面に近づく）（図１８参照）。
【００３９】
このように構成される演出装置１ｍの作用（動作）について説明する。なお、本実施形態にかかる遊技機１には、演出部材１０を用いた演出の一態様として、図５に示すように、ベース部材５０および演出部材１０を演出位置に位置させた後、演出部材１０側が前方に位置するようにベース部材５０を位置させ、演出部材１０を回転させるものがある。以下では当該演出時の動作について説明する。なお、ベース部材５０や演出部材１０を用いたその他の演出（例えば、演出部材１０を回転させずにそのまま演出用の画像を表示したりする等）については説明を省略する。
【００４０】
演出部材１０を用いた演出を行うとき、図示されないベース部材駆動機構によってベース部材５０およびそれに支持された演出部材１０が、遊技盤９０の開口９０１の上側に覆われる遊技者に視認困難な位置から、遊技盤９０の開口９０１を通じて遊技者に視認可能となる位置（演出位置）に移動する。移動後、ベース部材５０を回転させ、演出部材１０側を前方に位置させる。ベース部材駆動機構は、このようにベース部材５０を移動させることができる構成であればどのような構造であってもよいため、説明は省略する。
【００４１】
このとき、各部材は原位置に位置する。演出部材１０および回転部材２０が原位置に位置するとき、回転部材２０の係合部２２は、係合部材３０の被係合部３１のうちの一端側に位置する第一被係合部３１１に係合している。また、係合部材３０の被規制突起が、ベース部材５０の第一規制部４１に接触した状態にある（図８参照）。
【００４２】
ベース部材５０および演出部材１０を演出位置に位置させた後、モータ６０を駆動する（正転させる）。モータ６０の動力は、歯車列６１を介して回転部材２０に伝達される。回転部材２０が回転すると、当該回転部材２０に形成された係合部２２は、回転部材２０の回転中心を中心として、その周方向に移動する。係合部２２は、係合部材３０の第一被係合部３１１に係合しているため、周方向に移動する係合部２２に第一被係合部３１１の内壁面が押されることにより、係合部材３０が一定角度回転する。具体的には、係合部材３０が回転することにより、係合部２２が第一被係合部３１１から外れるまで（係合部２２と第一被係合部３１１の係合状態が解消されるまで）回転する。つまり、係合部２２が第一被係合部３１１に係合している状態においては、演出部材１０および回転部材２０とともに係合部材３０が回転する。
【００４３】
係合部２２が第一被係合部３１１から外れると、係合部材３０に対し動力を伝達する部材が（一時的に）存在しなくなるため、係合部材３０はある所定の位置で静止する。これに対し、回転部材２０にはモータ６０の動力がそのまま伝達され続けるため、演出部材１０は回転部材２０とともに回転する。係合部材３０が静止し、回転部材２０が回転しているとき、回転部材２０の環状の周縁２３（径方向外側に向かって凸となる周縁）と、それと同じ曲率である係合部材３０の被係合部３１間の周縁３３（回転中心に向かって凹となる周縁）は、接触（両周縁が摺動）または近接した状態にある（図９参照）。
【００４４】
演出部材１０および回転部材２０が約一回転すると、回転部材２０の係合部２２が再び係合部材３０に接近する。第一被係合部３１１の内壁面が係合部２２に押されることにより所定量回転した係合部材３０は、第一被係合部３１１に隣接する第二被係合部３１２が当該接近する係合部２２側に位置した状態にある。接近する係合部２２はそのまま第二被係合部３１２に係合し、第二被係合部３１２の内壁面を押す（図１０参照）。これにより、再び係合部材３０が一定角度回転する。係合部２２が第二被係合部３１２から外れると、再び係合部材３０は静止状態となる（図１１参照）。
【００４５】
その後、演出部材１０および回転部材２０が約一回転すると、係合部２２が第二被係合部３１２に隣接（第一被係合部３１１の反対側に隣接）する第三被係合部３１３に係合し、再び係合部材３０が一定角度回転する（図１２参照）。このように、係合部２２が第一被係合部３１１に係合した回転部材２０（原位置に位置する回転部材２０）が約一回転する度に、第二被係合部３１２、第三被係合部３１３、第四被係合部３１４、第五被係合部３１５の順で係合していき、その都度係合部材３０が一定角度回転する（図８〜図１６参照）。すなわち、回転部材２０が所定位置に位置する（係合部２２が係合部材３０側に位置する）度に、その係合部２２が係合部材３０の被係合部３１のうちの一つに一時的に係合する。当該一時的な係合により、係合部材３０は段階的に回転していく。具体的には、係合部材３０に設けられた被規制部３２が、第二規制部４２に向かうように回転していき、係合部２２と第五被係合部３１５が係合することによって一定角度回転したとき（係合部２２と第五被係合部３１５の係合が外れる前に）、被規制部３２が第二規制部４２に接触する（図１６参照）。これにより、係合部材３０のそれ以上の当該方向への回転が阻止される。なお、本実施形態における、原位置から当該回転が阻止されるまでの係合部材３０の回転量は、３６０度未満である。
【００４６】
このように係合部材３０の回転が阻止されるということは、係合部材３０の被係合部３１に係合する係合部２２を有する回転部材２０、およびこの回転部材２０とともに回転する演出部材１０の回転も阻止されるということである。本実施形態では、原位置から回転しはじめた演出部材１０は、ちょうど四回転（３６０×４度変位）した時点で停止する（終端位置に到達する）。つまり、演出部材１０の原位置から終端位置までの回転数をＸとした場合、被係合部３１の数はＸ−１に設定される。換言すれば、最初に（演出部材１０が原位置に位置するときに）係合している被係合部３１（第一被係合部３１１）を除いた残りの被係合部３１（第二被係合部３１２〜第五被係合部３１５）の数が、演出部材１０の回転数ということになる。このように、係合部材３０に形成される被係合部３１の数は、演出部材１０の回転数に応じて設定される。
【００４７】
終端位置に到達した演出部材１０を原位置に戻す際には、モータ６０を逆転させればよい。これにより、係合部２２が第五被係合部３１５に係合した回転部材２０が約一回転する度に、第四被係合部３１４、第三被係合部３１３、第二被係合部３１２、第一被係合部３１１の順で係合していき、その都度係合部材３０が一定角度回転する。すなわち、被規制部３２が第一規制部４１に向かうように係合部材３０が段階的に回転していき、係合部２２と第一被係合部３１１が係合することによって一定角度回転したとき（係合部２２と第一被係合部３１１の係合が外れる前に）、被規制部３２が第一規制部４１に接触する。これにより、係合部材３０のそれ以上の当該方向（原位置方向）への回転が阻止される。
【００４８】
このように、本実施形態では演出部材１０が複数回転する。演出部材１０には液晶表示装置１１が設けられているため、当該液晶表示装置１１に所定の画像を表示しながら、演出部材１０全体を複数回転させることにより、従来にはなかった演出効果がもたらされる。
【００４９】
演出部材１０が原位置に位置するとき、軸状部１２の周囲にロール状で設けられた配線部材７０の一部は、最も締まった状態（最も軸状部１２に近づいた状態）にある（図１７参照）。演出部材１０が原位置から終端位置に向かうにつれて、当該ロール状の部分７１がだんだんと緩んでいき、演出部材１０が終端位置に到達したときに最も緩んだ状態（最も筒状部５３の内壁面に近づいた状態）となる（図１８参照）。このように、演出部材１０が回転したときには、配線部材７０はそのロール状の部分７１の緩みを変化させる。
【００５０】
以上説明した本実施形態にかかる遊技機１によれば、次のような作用効果が奏される。本実施形態にかかる遊技機１では、一回転超回転する演出部材１０の回転を阻止するため、係合部材３０を用いている。当該係合部材３０は、演出部材１０とともに回転する回転部材２０と一時的に係合しながら、段階的に回転していく（図８〜図１６参照）。つまり、係合部材３０は、演出部材１０や回転部材２０と常に係合している部材ではないため、演出部材１０が原位置から終端位置まで回転したときにおけるトータルの回転量が小さくなる。
【００５１】
具体的には、演出部材１０が一回転超回転する部材であるにも拘わらず、係合部材３０は一回転（３６０度）回転しない。また、係合部材３０における被係合部３１が形成された部分の径は、回転部材２０における係合部２２が形成された部分の径よりも小さい。このように、演出部材１０（回転部材２０）の回転量（回転角度）に比して、係合部材３０の回転量（回転角度）を小さくすることができるため、回転軌跡内と回転軌跡外との間を変位可能な回転を阻止する部材を設けたり、係合部材３０を大きくしたりする必要がない。つまり、演出装置１ｍを簡易かつ小さくすることが可能である。
【００５２】
例えば、本実施形態のように演出部材１０を四回転させる前提のもと、回転軌跡内と回転軌跡外との間を変位可能な回転を阻止する部材を設けず、係合部材３０が演出部材１０や回転部材２０と常に係合している構成とする場合、係合部材３０の径を回転部材２０の径の四倍以上に設定しなければならず、装置が大型化してしまうことになるが、本実施形態によればこのような問題は発生しない。
【００５３】
また、係合部材３０の被係合部３１間の周縁３３は、回転中心に向かって凹となる形状であり、その曲率は、回転部材２０の環状の周縁２３（径方向外側に向かって凸となる周縁）と同じである。そのため、係合部２２と被係合部３１が係合しておらず、係合部材３０が静止し、回転部材２０が回転している状態において、両周縁が互いに接触または近接するような位置関係で回転部材２０と係合部材３０を配置することが可能である（図９、図１１、図１３、図１５参照）。つまり、（係合部材３０の被係合部３１間の周縁３３が径方向外側に向かって凸となる形状とした場合と比較して）回転部材２０と係合部材３０の距離を小さくすることが可能となる。すなわち、演出装置１ｍ、ひいては遊技機１の小型化に資する。
【００５４】
ここで、係合部材３０の被係合部３１間の周縁３３の曲率は、回転部材２０の環状の周縁２３の曲率と必ずしも同じでなくてもよい。係合部材３０の被係合部３１間の周縁３３の曲率が、回転部材２０の環状の周縁２３の曲率よりも小さければよい。このようにすれば、回転中心に向かって凹となる係合部材３０の被係合部３１間の周縁３３の内側に、径方向外側に向かって凸となる回転部材２０の環状の周縁２３が入り込むような状態となるから、回転部材２０と係合部材３０の距離を小さくすることが可能である。
【００５５】
演出部材１０が回転する際、当該演出部材１０に接続された配線部材７０は、軸状部１２の周囲にロール状で設けられた部分の緩みを変化させる。つまり、演出部材１０の回転に伴う一端側（演出部材１０側）の変位を、ロール状の部分７１の緩みの大小によって吸収する（図１７、図１８参照）。このように、演出部材１０が回転しても、それに接続された配線部材７０はロール状の部分７１の緩みが変化するだけであるから、演出部材１０が回転したときにおける配線部材７０に対する負荷を抑制することが可能である。
【００５６】
また、配線部材７０のロール状の部分７１は、ベース部材５０に設けられた筒状部５３内に収容されているため、当該ロール状の部分７１の緩みは筒状部５３の内壁面に抑えられる（図１８参照）。つまり、ロール状の部分７１が大きく緩み、その緩んだ部分が他の部材に引っ掛かってしまうこと等を防止することが可能である。
【００５７】
以上、本発明の実施の形態について詳細に説明したが、本発明は上記実施の形態に何ら限定されるものではなく、本発明の要旨を逸脱しない範囲で種々の改変が可能である。
【００５８】
例えば、上記実施形態では、係合部材３０はベース部材５０に回転自在に支持された部材であることを説明したが、このような「回転」する構成に限られるものではない。例えば被係合部３１が係合部２２と係合する度に、直線状にスライドする部材であってもよい。つまり、回転部材２０が所定位置に位置し、係合部２２と被係合部３１が一時的に係合する度に、係合部材３０の被規制部３２が規制部４０に向かって段階的に変位する構成であればよく、その変位は回転に限られるものではない。
【００５９】
また、上記実施形態では、回転部材２０に凸状の係合部２２が、係合部材３０に凹状の被係合部３１が形成されていることを説明したが、係合部材３０に凸状の係合部２２が、係合部材３０に凹状の被係合部３１が形成された構成とすることもできる。さらに、上記実施形態では、回転部材２０に一の係合部２２が形成されていることを説明したが、回転部材２０に複数の係合部２２が形成されていてもよい。つまり、回転部材２０が一回転（３６０度変位）する度に係合部材３０に係合するのではなく、一の係合部２２と一の被係合部３１の係合が解消した後、一回転未満の変位で再び別の一の係合部２２と別の一の被係合部３１が係合する構成としてもよい。
【００６０】
また、上記実施形態では、軸状部１２が演出部材１０に形成されていることを説明したが、回転部材２０に形成されていてもよい。つまり、配線部材７０の一端側が固定される軸状部は、演出部材１０とともに回転する部分であればよい。
【００６１】
また、上記実施形態では、配線部材７０はＦＰＣであることを説明したが、撓み変形可能なものであればどのようなものであってもよい。
【符号の説明】
【００６２】
１  遊技機
１ｍ  演出装置
１０  演出部材
１１  液晶表示装置
１２  軸状部
２０  回転部材
２１  歯車部
２２  係合部
２３  回転部材の周縁
３０  係合部材
３１  被係合部
３２  被規制部
３３  被係合部間の周縁
４０  規制部
５０  ベース部材
５３  筒状部
５３１  配線固定部
６０  モータ
７０  配線部材
７１  ロール状の部分
【図１】
2015043802.tif 000003
【図２】
2015043802.tif 000004
【図３】
2015043802.tif 000005
【図４】
2015043802.tif 000006
【図５】
2015043802.tif 000007
【図６】
2015043802.tif 000008
【図７】
2015043802.tif 000009
【図８】
2015043802.tif 000010
【図９】
2015043802.tif 000011
【図１０】
2015043802.tif 000012
【図１１】
2015043802.tif 000013
【図１２】
2015043802.tif 000014
【図１３】
2015043802.tif 000015
【図１４】
2015043802.tif 000016
【図１５】
2015043802.tif 000017
【図１６】
2015043802.tif 000018
【図１７】
2015043802.tif 000019
【図１８】
2015043802.tif 000020
【図１９】
2015043802.tif 000021
【図２０】
2015043802.tif 000022